(57)【要約】【課題】スティックシュガーなどの多数本の棒状内容物を収納でき家庭などで使用する場合でも自立性のある容器を別に用意する必要をなくし、装飾性を備えた自立性のある収納袋を提供する。【解決手段】合成樹脂フィルムを材料に用いて作られたシート２，３を２枚重ねにし、上部ほど左右両側の内面間が幅広となり左右両側の内面が傾斜し、上端に多数本の棒状内容物４の収納用の口部１ａが形成されてなり、前記２枚のシート２，３の下端間に合成樹脂フィルムを材料に用いて作られた底部用のシート５を介在させてスタンドパックの形態の袋に備わる下端の底部の形となるように底部用のシート５を２枚のシート２，３にヒートシールにより接合してなり、前記底部用のシート５で形成される棒状内容物４の受け面６が収納袋１の中央部で最も低い位置となるように左右両側から下降傾斜してＶ字状となるように構成した。【選択図】図４
2010111420.tif 000002
【特許請求の範囲】
【請求項１】
合成樹脂フィルムを材料に用いて作られたシートを２枚重ねにし、上部ほど左右両側の内面間が幅広となり左右両側の内面が傾斜し、上端に多数本の棒状内容物の収納用の口部が形成されてなり、前記２枚のシートの下端間に合成樹脂フィルムを材料に用いて作られた底部用のシートを介在させてスタンドパックの形態の袋に備わる下端の底部の形となるように底部用のシートを２枚のシートにヒートシールにより接合してなり、前記底部用のシートで形成される棒状内容物の受け面が収納袋の中央部で最も低い位置となるように左右両側から下降傾斜してＶ字状となるように構成したことを特徴とする収納袋。
【請求項２】
合成樹脂フィルムを材料に用いて作られたシートを２枚重ねにし、上部ほど左右両側の内面間が幅広となり左右両側の内面が傾斜し、上端に多数本の棒状内容物の収納用の口部が形成されてなり、前記２枚のシートの下端間に合成樹脂フィルムを材料に用いて作られた底部用のシートを介在させてスタンドパックの形態の袋に備わる下端の底部の形となるように底部用のシートを２枚のシートにヒートシールにより接合してなり、前記底部用のシートで形成される棒状内容物の受け面が収納袋の中央部で最も低い位置となるように左右両側から下降傾斜し中央部が水平となる逆台形状となるように構成したことを特徴とする収納袋。
【請求項３】
２枚のシートの内、少なくとも一方のシートの少なくとも一部は、外部から棒状内容物を視認可能に透明乃至半透明であることを特徴とする請求項１または２記載の収納袋。
【発明の詳細な説明】
【技術分野】
【０００１】
本発明は、合成樹脂フィルムを材料に用いて作られた収納袋であって、多数本の棒状内容物が収納されることにより底部外周が外側に膨らみ自立できる状態にした収納袋に関するものである。
【背景技術】
【０００２】
従来、例えばコーヒーや紅茶などに入れられて使用される棒状の紙容器にシュガーが収納されてなるスティックシュガーは本数にもよるが、数十本程度までであれば合成樹脂フィルムを材料に用いて作られた袋に入れられて販売されているのが通常である。
【発明の開示】
【発明が解決しようとする課題】
【０００３】
上記のように合成樹脂フィルムを材料に用いて作られた袋に棒状内容物として数十本程度のスティックシュガーが入れられて販売するに当たって、棒状内容物が入れられた袋を立てる場合は上端が開口する受け容器内に多数の袋を立てた状態にして入れて棚などの上に並べられているのが通常である。
【０００４】
袋に入れられた棒状内容物を購入し、家庭などで使用する場合、棒状内容物の本数が多い始めの状態では棒状内容物が入れられた袋をテーブルなどの上で立てた状態にしておくこともできるが、棒状内容物の本数が少なくなるとテーブルなどの上で棒状内容物が入れられた袋を横に寝かせるなどしているのが現状である。あるいは上端開口の容器に棒状内容物を立てた状態にして入れ替えるなどもしている。
【０００５】
つまり、従来棒状内容物の本数が多い始めの内は棒状内容物が入れられた袋をテーブルなどの上で立てた状態にしておくこともできるが、棒状内容物の本数が少なくなるとテーブルなどの上で棒状内容物が入れられた袋を横に寝かせるなどしているのが現状である。
【０００６】
しかし、棒状内容物を立てた状態にして家庭などで使用する場合は、自立性のある容器を用意し、この容器に棒状内容物を入れ替えなければならないという問題があった。
本発明の目的は、このような課題を解決するものであり、スティックシュガーや竹串、あるいは油性ペンなどの棒状内容物を多数本収納でき家庭などで使用する場合でも自立性のある容器を別に用意する必要をなくし、装飾性を備えた自立性のある収納袋を提供することにある。
【課題を解決するための手段】
【０００７】
本発明の請求項１に記載の収納袋は、合成樹脂フィルムを材料に用いて作られたシートを２枚重ねにし、上部ほど左右両側の内面間が幅広となり左右両側の内面が傾斜し、上端に多数本の棒状内容物の収納用の口部が形成されてなり、前記２枚のシートの下端間に合成樹脂フィルムを材料に用いて作られた底部用のシートを介在させてスタンドパックの形態の袋に備わる下端の底部の形となるように底部用のシートを２枚のシートにヒートシールにより接合してなり、前記底部用のシートで形成される棒状内容物の受け面が収納袋の中央部で最も低い位置となるように左右両側から下降傾斜してＶ字状となるように構成したことを特徴とする。
【０００８】
請求項２に記載の収納袋は、合成樹脂フィルムを材料に用いて作られたシートを２枚重ねにし、上部ほど左右両側の内面間が幅広となり左右両側の内面が傾斜し、上端に多数本の棒状内容物の収納用の口部が形成されてなり、前記２枚のシートの下端間に合成樹脂フィルムを材料に用いて作られた底部用のシートを介在させてスタンドパックの形態の袋に備わる下端の底部の形となるように底部用のシートを２枚のシートにヒートシールにより接合してなり、前記底部用のシートで形成される棒状内容物の受け面が収納袋の中央部で最も低い位置となるように左右両側から下降傾斜し中央部が水平となる逆台形状となるように構成したことを特徴とする。
【０００９】
請求項３に記載の収納袋は、２枚のシートの内、少なくとも一方のシートの少なくとも一部は、外部から棒状内容物を視認可能に透明乃至半透明であることを特徴とする。
【発明の効果】
【００１０】
以上のように、本発明の収納袋は、上部ほど左右両側の内面間が幅広となるようにヒートシールされていて左右両側の内面が傾斜しており、且つ底部用のシートで形成される受け面が収納袋１の中央部で最も低い位置となるように左右両側から下降傾斜しＶ字状となるように構成されているので、多数本の棒状内容物の下端をＶ字状の受け面で受けて、棒状内容物を扇状に開かせた状態で収納することができる。そして、棒状内容物が収納されていることによって収納袋の２枚のシート間が膨らみ、それによって２枚のシートにヒートシールにより接合されてなる底部用のシートが膨らみ自立可能となる収納袋を提供することができる。また、受け面が収納袋の中央部で最も低い位置となるように左右両側から下降傾斜し中央部が水平となる逆台形状となるように構成すれば、収納される多数本の棒状内容物の下端が受け面の中央の水平部に集まりやすく、棒状内容物の収納本数を増やすことができ、収納された棒状内容物を扇状に開かせた状態で収納することができる。さらに、少なくとも前記２枚のシートの内、少なくとも一方のシートの少なくとも一部を、外部から棒状内容物を視認可能に透明乃至半透明とすることにより、扇状に開いた棒状内容物が外部から見えることのできる装飾性を備えた収納袋を提供することができる。
【発明を実施するための最良の形態】
【００１１】
以下、本発明の実施の形態を、図面に基づき具体的に説明する。
先ず、図１〜図５に示す第１の実施の形態について説明すると、１は合成樹脂フィルムを材料に用いて作られたシート２，３を２枚重ねにし、上部ほど左右両側の内面間が幅広となり上端口部１ａの左右両側間の幅が広くなるように左右両側がヒートシールにより閉じられて作られた収納袋で、この収納袋１の底部はスティックシュガーや鉛筆、油性ペンなどの棒状内容物４を多数本受けることができるように前後の２枚のシート２，３の下端間にシート２，３と同様に合成樹脂フィルムを材料に用いて作られた底部用のシート５を介在させ、スタンドパックの形態の袋に備わる下端の膨らんだ底部の形となるように底部用のシート５を前後の２枚のシート２，３にヒートシールにより接合している。ところで、この第１の実施の形態では下端が膨らんだ状態の収納袋１を正面あるいは背面から見て底部用のシート５で形成される棒状内容物４の受け面６が収納袋１の中央部で最も低い位置となるように左右両側から下降傾斜するように底部用のシート５が前後の２枚のシート２，３に対しヒートシールされている。７はこの収納袋１のヒートシール部である。
【００１２】
以上のように作られた収納袋１は棒状内容物４が収納されていない状態では扁平であるが、収納袋１の中に上端口部１ａより多数本の棒状内容物４が立てて入れられると前後の２枚のシート２，３間が膨らみ、それにより底部用のシート５は拡がって収納袋１の下端は外周が外側に膨らむようになり、前記受け面６で棒状内容物４の下端を受けることができるものである。さらに詳しくは、底部用のシート５で形成される受け面６は収納袋１の中央部で最も低い位置となるように左右両側から下降傾斜し傾斜角度の緩やかなＶ字状に構成されており、前後の２枚のシート２，３は左右両側間が幅広となるようにヒートシールされているので、収納袋１内に立てて入れられた多数本の棒状内容物４の下端はＶ字状に傾斜している受け面６に集まり、それにより底部用のシート５は拡がって収納袋１の下端は外周が外側に膨らみ、収納袋１は自立可能な状態となる。さらに、収納袋１内において多数本の棒状内容物４は、収納袋１の左右両側間の幅が広くなるように構成されているので収納袋１の左右両側では棒状内容物４の上端が左右両側の内面に凭れ掛けるようになり、収納袋１の中央部では起立した状態となって、全体として扇状に収納されることになる。
【００１３】
なお、この第１の実施の形態の収納袋１は、上部ほど左右両側の内面間が幅広となるようにヒートシールされていて左右両側の内面が大きく傾斜しており、且つ底部用のシート５で形成される受け面６が収納袋１の中央部で最も低い位置となるように左右両側から下降傾斜し傾斜角度の緩やかなＶ字状となるように構成されているので、棒状内容物４の下端の径が細い、太いに拘わらず多数本の棒状内容物４を扇状に開いた状態で収納することができ、収納袋１に棒状内容物４を収納した後で収納袋１の上端口部１ａをヒートシールにより閉じるものである。
【００１４】
棒状内容物４が収納され上端が閉じられた収納袋１は店の棚などの上に立てた状態で並べられ、陳列される。購入者が家庭などで使用するときは収納袋１の上端を切り開き、収納袋１から必要な棒状内容物４を取り出した後、収納袋１をテーブルや机などの上に立てた状態で載せておくことが可能となる。ところで、２枚のシート２，３の内、少なくとも一方のシートの少なくとも一部を、外部から棒状内容物４を視認可能に透明乃至半透明とすることにより、扇状に収納されている棒状内容物４が外部から見えることのできる装飾性を備えた収納袋とすることができる。
【００１５】
次に、図６〜図１０に示す第２の実施の形態について説明すると、この第２の実施の形態の収納袋１は上端口部１ａの左右両側間の幅を第１の実施の形態の収納袋１の上端口部１ａの左右両側間の幅よりも狭く、且つ上部ほど左右両側の内面間が幅広であるが第１の実施の形態の収納袋１の左右両側の内面間よりも狭くなるように作られている。他の構成は前記第１の実施の形態と同様である。
【００１６】
次に、図１１〜図１２に示す第３の実施の形態について説明すると、この第３の実施の形態の収納袋１は、前記第１の実施の形態の収納袋１と同様に上端口部１ａの左右両側間の幅が大きく、且つ上部ほど左右両側の内面間が幅広となるように作られた収納袋１であって、底部用のシート５で形成される受け面６が収納袋１の中央部で最も低い位置となるように左右両側から緩やかな角度で下降傾斜し中央部が水平となる逆台形状となるように構成されている。６ａは中央の水平部である。他の構成は前記第１の実施の形態と同様である。
【００１７】
次に、図１３〜図１４に示す第４の実施の形態について説明すると、この第４の実施の形態の収納袋１は、前記第２の実施の形態の収納袋１と同様に上端口部１ａの左右両側間の幅を狭く、且つ上部ほど左右両側の内面間が幅広であるが左右両側の内面間が第１および第３の実施の形態の収納袋１よりも狭くなるように作られた収納袋１であって、底部用のシート５で形成される受け面６が収納袋１の中央部で最も低い位置となるように左右両側から緩やかな角度で下降傾斜し中央部が水平となる逆台形状となるように構成されている。６ａは中央の水平部である。他の構成は前記第１の実施の形態と同様である。
【００１８】
以上、第１〜第４の実施の形態について述べたが、次に各実施の形態の働きについて説明する。先ず、第１の実施の形態の収納袋１の場合、前述のように上部ほど左右両側の内面間が幅広となるようにヒートシールされていて左右両側の内面が大きく傾斜しており、且つ底部用のシート５で形成される受け面６が収納袋１の中央部で最も低い位置となるように左右両側から下降傾斜し傾斜角度の緩やかなＶ字状となるように構成されているので、多数本の棒状内容物４の下端をＶ字状の受け面６で受けて、それにより底部用のシート５は拡がって収納袋１の下端は外周が外側に膨らみ、収納袋１は自立可能な状態となる。さらに、収納袋１内において多数本の棒状内容物４は、収納袋１の左右両側間の幅が広くなるように構成されているので収納袋１の左右両側では棒状内容物４の上端が左右両側の内面に凭れ掛けるようになり、収納袋１の中央部では起立した状態となって、全体として扇状に収納されることになる。
【００１９】
第２の実施の形態の収納袋１では上端口部１ａの左右両側間の幅を第１の実施の形態の収納袋１の上端口部１ａの左右両側間の幅よりも狭く、且つ上部ほど左右両側の内面間が幅広であるが第１の実施の形態の収納袋１の左右両側の内面間よりも狭くなるように作られていて左右両側の内面の傾斜が第１の実施の形態の収納袋１よりも小さく、上部ほど左右両側の内面間が幅広であるが第１の実施の形態の収納袋１の左右両側の内面間よりも狭くなり、且つ底部用のシート５で形成される受け面６が収納袋１の中央部で最も低い位置となるように左右両側から下降傾斜し傾斜角度の緩やかなＶ字状となるように構成されているので、特に竹串などの細い多数本の棒状内容物４を収納するのに適するものである。つまり、細い多数本の棒状内容物４であれば、多数本の棒状内容物４の下端をＶ字状の受け面６で受けて、収納袋１の左右両側では棒状内容物４の上端が左右両側の内面に凭れ掛けるようになり、収納袋１の中央部では起立した状態となって、全体として扇状に収納されることになる。
【００２０】
第３の実施の形態の収納袋１では前述のように上部ほど左右両側の内面間が幅広となるようにヒートシールされていて左右両側の内面が大きく傾斜しており、且つ底部用のシート５で形成される受け面６が収納袋１の中央部で最も低い位置となるように左右両側から緩やかな角度で下降傾斜し中央部が水平となる逆台形状となるように構成されているので、収納される多数本の棒状内容物４の下端が受け面６の中央の水平部６ａに集まりやすく、収納袋１内において多数本の棒状内容物４は収納袋１の左右両側では棒状内容物４の上端が左右両側の内面に凭れ掛けるようになり、収納袋１の中央部では起立した状態となって、全体として扇状に収納されることになる。
【００２１】
第４の実施の形態の収納袋１では前述のように上端口部１ａの左右両側間の幅を第１の実施の形態の収納袋１の上端口部１ａの左右両側間の幅よりも狭く、且つ上部ほど左右両側の内面間が幅広であるが第１の実施の形態の収納袋１の左右両側の内面間よりも狭くなるように作られていて左右両側の内面の傾斜が第１の実施の形態の収納袋１よりも小さく、上部ほど左右両側の内面間が幅広であるが第１の実施の形態の収納袋１の左右両側の内面間よりも狭くなり、且つ底部用のシート５で形成される受け面６が収納袋１の中央部で最も低い位置となるように左右両側から緩やかな角度で下降傾斜し中央部が水平となる逆台形状となるように構成されているので、収納される多数本の棒状内容物４の下端が受け面６の中央の水平部６ａに集まりやすく、収納袋１内において多数本の棒状内容物４は収納袋１の左右両側では棒状内容物４の上端が左右両側の内面に凭れ掛けるようになり、収納袋１の中央部では起立した状態となって、全体として扇状に収納されることになる。
【００２２】
なお、収納袋１の上端口部１ａの左右両側間の幅や左右両側の内面間の幅および受け面６の傾斜角は以上述べた４つの実施の形態を説明した図面に示されるものに限定されるものではなく、棒状内容物４の太さなどに応じて適宜決定すれば良い。
【図面の簡単な説明】
【００２３】
【図１】本発明の第１の実施の形態の収納袋の正面図である。
【図２】同収納袋内に棒状内容物を収納し上端口部がヒートシールにより閉じられる前の状態を示す斜視図である。
【図３】同棒状内容物が収納された収納袋の上端口部を閉じ、立てた状態を示す斜視図である。
【図４】同棒状内容物の下端が底部の受け面で受けられている状態を示す断面図である。
【図５】同棒状内容物が収納された収納袋の上端口部を開き、立てた状態を示す斜視図である。
【図６】本発明の第２の実施の形態の収納袋の正面図である。
【図７】同収納袋内に棒状内容物を収納し上端口部がヒートシールにより閉じられる前の状態を示す斜視図である。
【図８】同棒状内容物が収納された収納袋の上端口部を閉じ、立てた状態を示す斜視図である。
【図９】同棒状内容物の下端が底部の受け面で受けられている状態を示す断面図である。
【図１０】同棒状内容物が収納された収納袋の上端口部を開き、立てた状態を示す斜視図である。
【図１１】本発明の第３の実施の形態の収納袋の正面図である。
【図１２】同収納袋内に収納された棒状内容物の下端が底部の受け面で受けられている状態を示す断面図である。
【図１３】本発明の第４の実施の形態の収納袋の正面図である。
【図１４】同収納袋内に収納された棒状内容物の下端が底部の受け面で受けられている状態を示す断面図である。
【符号の説明】
【００２４】
１        収納袋
１ａ      上端口部
２，３    シート
４        棒状内容物
５        シート
６        受け面
６ａ      水平部
７        ヒートシール部
【図１】
2010111420.tif 000003
【図２】
2010111420.tif 000004
【図３】
2010111420.tif 000005
【図４】
2010111420.tif 000006
【図５】
2010111420.tif 000007
【図６】
2010111420.tif 000008
【図７】
2010111420.tif 000009
【図８】
2010111420.tif 000010
【図９】
2010111420.tif 000011
【図１０】
2010111420.tif 000012
【図１１】
2010111420.tif 000013
【図１２】
2010111420.tif 000014
【図１３】
2010111420.tif 000015
【図１４】
2010111420.tif 000016